(57)【要約】【課題】  信号強度の大きい隣接チャンネルの影響を少なくさせる。【解決手段】  地デジ放送に代表されるように各チャンネルごとに所定の受信周波数帯が設定され、該受信周波数帯間に各チャンネル毎に対応する局発振周波数が設定されている場合において、ステップＳ１００〜Ｓ１１８の処理を経て、隣接チャンネルの信号強度が大きい場合（ステップＳ１０４）に、ＶＣＯ信号の周波数を１チャンネル低いチャンネル番号に対応する周波数に変更（ステップＳ１０６）し、受信状況が改善すれば（ステップＳ１１０）、設定を保存し（ステップＳ１１２）、改善しなければ設定を戻す（ステップＳ１１４）ことにより、各チャンネル毎に上側の局発振周波数か下側の局発振周波数かを選択している。【選択図】  図３
2017028480.tif 000002
【特許請求の範囲】
【請求項１】
放送を受信する受信装置であって、
受信する所定の受信周波数帯に対して、上側または下側の局発振周波数のいずれかを選択する局発振周波数選択部を備えていることを特徴とする受信装置。
【請求項２】
各チャンネルごとに所定の受信周波数帯が設定され、該受信周波数帯間に各チャンネル毎に対応する局発振周波数が設定されており、
前記局発振周波数選択部は、各チャンネル毎に上側の局発振周波数か下側の局発振周波数かを選択することを特徴とする請求項１に記載の受信装置。
【請求項３】
受信するチャンネルに対して隣接するチャンネルの受信信号の信号レベルを検出する隣接チャンネル信号レベル検出部と、
隣接チャンネル信号レベル検出部にて検出される信号レベルが所定の値よりも大きいか判断する信号レベル判断部とを備え、
前記局発振周波数選択部は、前記信号レベル判断部の判断結果に基づいて各チャンネル毎に上側の局発振周波数か下側の局発振周波数かを選択することを特徴とする請求項２に記載の受信装置。
【請求項４】
受信するチャンネルの受信状況を検出する受信状況検出部とを備え、
前記局発振周波数選択部は、前記受信状況検出部の検出結果に基づいて各チャンネル毎に上側の局発振周波数か下側の局発振周波数かを選択することを特徴とする請求項２に記載の受信装置。
【請求項５】
受信信号と局発振周波数信号とを混合した混合信号を通過させるＩＦローパスフィルタを備え、
前記ＩＦローパスフィルタのカットオフ周波数は変更可能であり、
前記受信状況検出部の検出結果に基づいて前記ＩＦローパスフィルタのカットオフ周波数を変更することを特徴とする請求項４に記載の受信装置。
【請求項６】
前記ＩＦローパスフィルタの減衰量は変更可能であり、
前記受信状況検出部の検出結果に基づいて前記ＩＦローパスフィルタの減衰量を変更させることを特徴とする請求項５に記載の受信装置。
【請求項７】
受信経路に所望のチャンネルの受信信号を通過させるＲＦバンドパスフィルタを備え、
前記ＲＦバンドパスフィルタの通過周波数は変更可能であり、
前記受信状況検出部の検出結果に基づいて前記ＲＦバンドパスフィルタの通過周波数を変更することを特徴とする請求項４〜請求項６に記載の受信装置。
【請求項８】
前記ＲＦバンドパスフィルタの減衰量は変更可能であり、
前記受信状況検出部の検出結果に基づいて前記ＲＦバンドパスフィルタの減衰量を変更させることを特徴とする請求項７に記載の受信装置。
【請求項９】
複数の受信回路を備え、
前記局発振周波数選択部は、複数の受信回路における受信チャンネルの組み合わせに対応して上側の局発振周波数か下側の局発振周波数かを選択することを特徴とする請求項２〜請求項８に記載の受信装置。
【請求項１０】
複数の受信回路における受信チャンネルの組み合わせと上側の局発振周波数か下側の局発振周波数かの選択結果とを対応させて記憶する記憶部を備え、
前記局発振周波数選択部は、この記憶部から選択結果を得て上側の局発振周波数か下側の局発振周波数かを選択することを特徴とする請求項９に記載の受信装置。
【発明の詳細な説明】
【技術分野】
【０００１】
本発明は、放送を受信する受信装置に関する。
【背景技術】
【０００２】
スーパーヘテロダイン方式の受信装置においては、混合回路の入力経路にはＲＦバンドパスフィルタを設け、混合回路の出力経路にはＬＦローパスフィルタを設けることにより、本来の受信チャンネルの周波数帯以外の成分を低減させている。しかし、隣接チャンネルの信号強度が大きいと、これらによっては充分でない場合がある。
【０００３】
特許文献１に示すものは、混合回路に入力する局発振周波数を変化させることで微調整を図っている。
特許文献２に示すものは、混合回路の入力経路に設けるＬＮＡや、混合回路の出力経路に設けるアンプのゲインを調整することにより、隣接チャンネルの影響を少なくしている。
【先行技術文献】
【特許文献】
【０００４】
【特許文献１】特開２０１１−８２６６９号公報
【特許文献２】特開２００１−１０２９４７号公報
【発明の概要】
【発明が解決しようとする課題】
【０００５】
特許文献１及び特許文献２に開示するものは、隣接チャンネルの信号強度が非常に大きい場合にはほぼ対応できなかった。
また、特許文献１に示すもののように局発振周波数を変更すると、混合回路から得られるＩＦ信号の周波数帯域へも影響するので、影響を補償する必要も生じてしまう。
本発明は、簡易な構成によって信号強度の大きい隣接チャンネルの影響を少なくさせる。
【課題を解決するための手段】
【０００６】
本発明は、放送を受信する受信装置であって、受信する所定の受信周波数帯に対して、上側または下側の局発振周波数のいずれかを選択する局発振周波数選択部を備えた構成としてある。
例えば、スーパーヘテロダイン方式の受信装置は、受信する所定の受信周波数帯に対して、異なる周波数の信号を混合する。異なる周波数であるから、受信しようとしている受信周波数帯の上側または下側の周波数であるが、いずれか一方に固定されている。
【０００７】
前記構成において、局発振周波数選択部は、受信する所定の受信周波数帯に対して、上側または下側の局発振周波数のいずれかを選択する。
局発振周波数を受信する所定の受信周波数帯の上側の周波数とした場合、ＩＦ信号はこの局発振周波数を挟む受信周波数帯の信号を含むことになる。従って、受信する所定の受信周波数帯に隣接する帯域に信号レベルの強い信号がある場合、この強い信号が存在する側とは反対の側に局発振周波数を設定することで、ＩＦ信号は該強い信号の影響を受けにくい。具体的には、受信する所定の受信周波数帯の上側（高周波数側）の隣接する帯域に信号レベルの強い信号がある場合、局発振周波数を下側（低周波数側）に設定することで、該強い信号の影響は、受信する所定の受信周波数帯の信号よりも高周波数側にずれて現れる。従って、受信する所定の受信周波数帯の信号と該強い信号とは重複しない。もし、この例において、局発振周波数を上側（高周波数側）に設定すれば、該強い信号は、受信する所定の受信周波数帯の信号と重複して現れ、受信する所定の受信周波数帯の信号を分離することが難しい。
【０００８】
逆に、受信する所定の受信周波数帯の下側（低周波数側）の隣接する帯域に信号レベルの強い信号がある場合、局発振周波数を上側（高周波数側）に設定することで、該強い信号の影響は、受信する所定の受信周波数帯の信号よりも低周波数側にずれて現れる。従って、受信する所定の受信周波数帯の信号と該強い信号とは重複しない。
【０００９】
本発明の他の態様として、各チャンネルごとに所定の受信周波数帯が設定され、該受信周波数帯間に各チャンネル毎に対応する局発振周波数が設定されており、前記局発振周波数選択部は、各チャンネル毎に上側の局発振周波数か下側の局発振周波数かを選択する構成としても良い。
放送波などでは、所定の周波数帯域を一定の周波数毎に分割してそれぞれにチャンネル番号を割り当て、各チャンネルごとの受信周波数帯を設定しつつ、該受信周波数帯間に各チャンネル毎に対応する局発振周波数が設定されている。この場合、所定のチャンネルと局発振周波数は１：１で対応づけられている。
前記構成においては、前記局発振周波数選択部が、各チャンネル毎に上側の局発振周波数か下側の局発振周波数かを選択する。具体的には、あるチャンネルに着目したときに、その高周波数側のチャンネルの信号レベルが強い場合、上側の局発振周波数を使用すれば、この局発振周波数を挟んで存在する高周波数側のチャンネルの信号が着目しているチャンネルの信号に重なり合ってしまう。むろん、着目しているチャンネルの受信周波数帯域に対応したバンドパスフィルタを使用するものの、元の信号レベルが強すぎる場合には充分に信号レベルを落とすことができない。この結果、高周波数側のチャンネルの信号成分を分離できなくなってしまう。
【００１０】
しかし、そのような場合には、着目しているチャンネルの下側の局発振周波数を使用すれば、この局発振周波数から離れた高周波数側のチャンネルの信号は着目しているチャンネルの信号に重なり合わなくなる。
すなわち、隣接するチャンネルの信号レベルの強弱に応じてチャンネル毎に上側の局発振周波数か下側の局発振周波数かを選択することで、隣接するチャンネルの信号レベルの影響を受けなくすることができる。
【００１１】
本発明の他の態様として、受信するチャンネルに対して隣接するチャンネルの受信信号の信号レベルを検出する隣接チャンネル信号レベル検出部と、隣接チャンネル信号レベル検出部にて検出される信号レベルが所定の値よりも大きいか判断する信号レベル判断部とを備え、前記局発振周波数選択部は、前記信号レベル判断部の判断結果に基づいて各チャンネル毎に上側の局発振周波数か下側の局発振周波数かを選択する構成としても良い。
【００１２】
前記構成において、隣接チャンネル信号レベル検出部が、受信するチャンネルに対して隣接するチャンネルの受信信号の信号レベルを検出するので、信号レベル判断部は、隣接チャンネル信号レベル検出部にて検出される信号レベルが所定の値よりも大きいか判断し、前記局発振周波数選択部は、前記信号レベル判断部の判断結果に基づいて各チャンネル毎に上側の局発振周波数か下側の局発振周波数かを選択する。
【００１３】
例えば、上側に隣接するチャンネルの受信信号の信号レベルが、所定の値よりも大きくて、下側の隣接するチャンネルに影響を与える場合には、前記局発振周波数選択部が、下側の局発振周波数を選択することで、該影響を受けなくすることができる。逆に、下側に隣接するチャンネルの受信信号の信号レベルが、所定の値よりも大きくて、上側の隣接するチャンネルに影響を与える場合には、前記局発振周波数選択部が、上側の局発振周波数を選択することで、該影響を受けなくすることができる。
【００１４】
本発明の他の態様として、受信するチャンネルの受信状況を検出する受信状況検出部とを備え、前記局発振周波数選択部は、前記受信状況検出部の検出結果に基づいて各チャンネル毎に上側の局発振周波数か下側の局発振周波数かを選択する構成としても良い。
前記構成において、受信状況検出部により、受信するチャンネルの受信状況を検出することができ、前記局発振周波数選択部は、前記受信状況検出部の検出結果に基づいて各チャンネル毎に上側の局発振周波数か下側の局発振周波数かを選択する。例えば、あるチャンネルにおいて、上側の局発振周波数を設定した状態と、下側の局発振周波数を設定した状態とで、受信するチャンネルの受信状況の良否を比較し、受信状況の良い方の局発振周波数を選択する。このようにすれば、隣接するチャンネルの受信信号の信号レベルが大きいがためにその影響を受けている場合には、受信状況が悪化しているはずであり、局発振周波数を変えることでその影響を排除することも可能となる。
【００１５】
本発明の他の態様として、受信信号と局発振周波数信号とを混合した混合信号を通過させるＩＦローパスフィルタを備え、前記ＩＦローパスフィルタのカットオフ周波数は変更可能であり、前記受信状況検出部の検出結果に基づいて前記ＩＦローパスフィルタのカットオフ周波数を変更させる構成としても良い。
ＩＦローパスフィルタは、局発振周波数を挟んで隣接するチャンネルの受信信号の成分よりも高域の信号成分をカットすることで、局発振周波数を挟んで隣接するチャンネルの受信信号の帯域以外の受信信号による影響を排除できる。
【００１６】
前記局発振周波数選択部が、各チャンネル毎に上側の局発振周波数と下側の局発振周波数とのいずれかを選択する。この場合、本来なら、各チャンネルよりも上側の局発振周波数を選択するはずだが、あるチャンネルにおいて敢えて下側の局発振周波数を選択したような場合には、そのチャンネルの上側に隣接するチャンネルの信号成分による影響を受けている可能性が大きい。従って、受信信号と局発振周波数信号とを混合した混合信号を通過させるＩＦローパスフィルタのカットオフ周波数を通常よりも低くすることで、上側に隣接するチャンネルの信号成分をカットしやすくさせることができる。これにより受信状況も改善する。
すなわち、前記構成において、前記受信状況検出部の検出結果に基づいて前記ＩＦローパスフィルタのカットオフ周波数を変更させる。
【００１７】
本発明の他の態様として、前記ＩＦローパスフィルタの減衰量は変更可能であり、前記受信状況検出部の検出結果に基づいて前記ＩＦローパスフィルタの減衰量を変更させる構成としても良い。
前記構成において、カットオフ周波数の変更に加え、減衰量を変更できるので、隣接するチャンネルの信号成分による影響を受けている可能性が大きい場合は、減衰量を増やすことにより、上側に隣接するチャンネルの信号成分をカットしやすくさせることができる。
【００１８】
本発明の他の態様として、受信経路に所望のチャンネルの受信信号を通過させるＲＦバンドパスフィルタを備え、前記ＲＦバンドパスフィルタの通過周波数は変更可能であり、前記受信状況検出部の検出結果に基づいて前記ＲＦバンドパスフィルタの通過周波数を変更する構成としても良い。
ＲＦバンドパスフィルタは、所望のチャンネルの受信信号だけを主に通過させるために、受信経路に介在される。本来なら、ＲＦバンドパスフィルタを通過することで、隣接するチャンネルの受信信号のレベルが大きかったとしても、その影響を排除することができる。しかし、隣接するチャンネルの受信信号のレベルが非常に大きかったとすると、通常設定のままではＲＦバンドパスフィルタを通過してもその影響を充分に排除できない。
【００１９】
前記構成において、前記局発振周波数選択部が、各チャンネル毎に上側の局発振周波数と下側の局発振周波数とのいずれかを選択する。この場合、本来なら、各チャンネルよりも上側の局発振周波数を選択するはずだが、あるチャンネルにおいて敢えて下側の局発振周波数を選択したような場合には、そのチャンネルの上側に隣接するチャンネルの信号成分による影響を受けている可能性が大きい。このため、ＲＦバンドパスフィルタの通過周波数を狭めたり、やや下側にずらすように設定すると、受信経路に介在させたＲＦバンドパスフィルタに受信信号を通過させたときに、隣接するチャンネルの信号成分による影響をより排除できる。これにより受信状況も改善する。
【００２０】
本発明の他の態様として、前記ＲＦバンドパスフィルタの減衰量は変更可能であり、
前記受信状況検出部の検出結果に基づいて前記ＲＦバンドパスフィルタの減衰量を変更させる構成としても良い。
前記構成において、通過周波数の変更に加え、減衰量を変更できるので、隣接するチャンネルの信号成分による影響を受けている可能性が大きい場合は、減衰量を増やすことにより、上側に隣接するチャンネルの信号成分をカットしやすくさせることができる。
【００２１】
本発明の他の態様として、複数の受信回路を備え、前記局発振周波数選択部は、複数の受信回路における受信チャンネルの組み合わせに対応して上側の局発振周波数か下側の局発振周波数かを選択する構成としても良い。
複数の受信回路を備える場合、それぞれが同じチャンネルを受信しようとするとき、本来なら局発振周波数は同じものとなる。しかし、一つの受信装置内で複数の局部発振回路が同じ周波数で発振しようとしても、わずかにずれることを避けることができず、わずかにずれた局発振周波数で複数の発振回路が発振することで相互に悪影響を与えかねない。しかし、特定の受信チャンネルに対して上側の局発振周波数か下側の局発振周波数かを選択できるのであれば、二つの受信回路はそれぞれ別の局発振周波数を選択することでこのような悪影響を開扉できる。
前記構成においては、複数の受信回路における受信チャンネルの組み合わせに対応して、前記局発振周波数選択部が上側の局発振周波数か下側の局発振周波数かを選択する。すなわち、予め悪影響を生じるような組み合わせがあるので、その場合に上側の局発振周波数か下側の局発振周波数かを適宜選択して悪影響を未然に防ぐ。
【００２２】
本発明の他の態様として、複数の受信回路における受信チャンネルの組み合わせと上側の局発振周波数か下側の局発振周波数かの選択結果とを対応させて記憶する記憶手段を備え、前記局発振周波数選択部は、この記憶部から選択結果を得て上側の局発振周波数か下側の局発振周波数かを選択する構成としても良い。
【００２３】
前記構成において、記憶部は、複数の受信回路における受信チャンネルの組み合わせと上側の局発振周波数か下側の局発振周波数かの選択結果とを対応させて記憶しており、前記局発振周波数選択部は、この記憶部から選択結果を得て上側の局発振周波数か下側の局発振周波数かを選択する。すなわち、事前に受信チャンネルの組み合わせに対する最善の選択結果を記憶させておくことにより、ある時点での受信チャンネルの組み合わせに対応した選択結果を読み出すことができ、受信状況などを判定しなくても良好な受信を実現できる。
【００２４】
このように、状況に応じて受信する所定の受信周波数帯に対して、上側または下側の局発振周波数のいずれかを選択できるようにする手法は、必ずしも実体のある装置に限られる必要はなく、その方法としても機能することも容易に理解できる。このため、放送を受信する受信方法であって、受信する所定の受信周波数帯に対して、上側または下側の局発振周波数のいずれかを選択する工程を実施する構成としても良い。
すなわち、必ずしも実体のある装置に限らず、その方法としても有効であることに相違はない。
【発明の効果】
【００２５】
本発明の受信装置によれば、状況に応じて受信する所定の受信周波数帯に対して、上側または下側の局発振周波数のいずれかを選択できるようにしたので、隣接するチャンネルの信号成分が大きい場合や、マルチチューナ内で複数の局部発振回路が存在する場合に、受信状況を簡易な構成で改善することができるようになる。
【図面の簡単な説明】
【００２６】
【図１】ハードディスクレコーダーの全体ブロック図である。
【図２】チューナのブロック図である。
【図３】初期設定におけるチャンネルセットアップのフローチャートである。
【図４】本実施形態における周波数と信号強度の関係を示す図である。
【図５】従来のチューナにおける周波数と信号強度の関係を示す図である。
【図６】フィルタ微調整を加えたチャンネルセットアップのフローチャートである。
【図７】本実施形態における周波数と信号強度の関係を示す図である。
【図８】マルチチューナを採用している場合におけるチャンネルセットアップのフローチャートである。
【図９】記憶回路に記憶される配列領域ＶＣＯ１，ＶＣＯ２を示す図である。
【発明を実施するための形態】
【００２７】
・実施形態１
以下、図面にもとづいて本発明の実施形態を説明する。
図１は、本発明の一実施形態にかかる受信装置を採用したハードディスクレコーダーをブロック図により示している。
近年、テレビ放送や衛星放送を受信し、または録画や再生が可能な複合機器が利用されている。一般に、チューナーに加えて、ハードディスクドライブや、ブルーレイディスクドライブを備えており、さらに、ネットワークにも接続して、ネットワークを介して他の機器とデータ通信が可能となっている。データ通信により、デジタルメディアの配信、ダビング、再生といった多種多様な視聴等が可能となってきている。
【００２８】
本ハードディスクレコーダー１０は、地上波、衛星放送波などのテレビ放送、ラジオ放送、データ放送を受信するチューナ１１と、放送内容に応じたデジタルデータを記録再生するハードディスクドライブ１２と、ネットワークに接続するためのネットワークインターフェイス１３と、これらを制御するとともに外部のディスプレイ１５に画像や音声を出力する制御部１４を備えている。制御部１４は、ハードディスクドライブ１２に対してデジタルデータの記録再生を行う際に使用するデコーダー１４ａとエンコーダー１４ｂ、データに基づいて映像や音声の出力に使用する表示等制御部１４ｃなどを備えている。また、各種の設定値の記憶のために記憶回路１４ｄを備えている。
【００２９】
制御部１４の各機能は、独立した回路構成で実現する場合もあるが、各機能に対応する専用のＬＳＩを備えつつＣＰＵがそれらのＬＳＩを制御して実現していることが多い。このため、ＣＰＵおよびそのプログラムを実施するためのＲＯＭやＲＡＭなどを備えているとともに、各機能はハードウェアとソフトウェアとによって実現されていることになる。この他、ユーザが操作を指示するリモコン１６を備えている。
【００３０】
図２は、チューナのブロック図を示している。
チューナ１１は、さらにチューナ部２１と、信号復調回路２２とを備えている。チューナ部２１は、スーパーヘテロダイン方式の典型的な回路構成であり、アンテナ端子に接続されて受信周波数帯域に通過周波数帯域を設定するＲＦバンドパスフィルタ（ＢＰＦ）２１ａと、ＲＦバンドパスフィルタ２１ａの出力を増幅する低ノイズ増幅器（ＬＮＡ：高周波増幅器）２１ｂと、低ノイズ増幅器２１ｂの出力と局部発振周波数信号とを混合する混合器（ＭＩＸ回路）２１ｃと、混合機から出力されるＩＦ信号（中間周波信号）に含まれる余分な信号成分をカットするＩＦフィルタ（ＬＰＦ：ローパスフィルタ）２１ｄと、中間周波信号を増幅する中間周波増幅器（ＡＭＰ）２１ｅと、本チューナ部２１全体を制御するチューナ制御部２１ｆと、混合器２１ｃに局部発振周波数信号を出力する局部発振器（ＶＣＯ）２１ｇと、該局部発振器２１ｇの局発振周波数を一定に保つ位相同期回路（ＰＬＬ）２１ｈとを備えている。
【００３１】
チューナ制御部２１ｆは、ＩＩＣバス（Ｉ２Ｃと略記する）によってチャンネルあるいは受信周波数の情報を得て、それに応じた局部発振周波数信号を発生させるように位相同期回路２１ｈを介して局部発振器２１ｇを発振させる。
チューナ部２１は、出力として中間周波信号ＩＦを出力し、信号復調回路２２は、中間周波信号ＩＦに含まれる元信号を復元する。本実施例では、地上波デジタル放送（以下、地デジ）などのデジタル放送を前提とし、デジタル信号で変調したアナログ信号が復元されるが、元信号の性質は本質的なものではない。
【００３２】
信号復調回路２２は制御部１４からの制御を得て、上述したようにチューナ部２１に対してＩＩＣバスを介して受信周波数やチャンネル等を伝達している。なお、各チャンネルごとに局発振周波数が上側になるか下側になるかに応じてＩＦ信号に含まれる元信号の現れ方が変化するので、復調時にもこれに対応して動作を二通りに変化させる必要がある。これは、受信周波数帯域に対して局発振周波数を上側にするか下側にするかに対応した二種類の動作にすぎず、公知の回路構成で適用可能であるため、ここでは詳述しない。
【００３３】
本ハードディスクレコーダー１０は、地上波、衛星放送波などのテレビ放送波を受信するにあたり、セットアップの処理を行う。この際、各チャンネルにおいて放送波を受信できるか確認し、最適な受信のためのパラメータの設定などを行なう。本実施例の場合、さらに局発振周波数の設定を行う。本ハードディスクレコーダー１０の場合、デフォルトでは、地デジの各チャンネルは６Ｍｈｚごとに設定されており、局部発振周波数信号（ＶＣＯ信号）は、各チャンネルの受信周波数帯の境界であって、各チャンネルの受信周波数帯の上側（高周波数側）の周波数が利用される。従って、通常であれば、各チャンネル毎に放送波の有無を確認し、あればチャンネルスキップの対象外とする他、当該チャンネルを受信する際に利用するＶＣＯ信号は、当該チャンネルの受信周波数帯の上側（高周波数側）の周波数に固定される。なお、従来、このＶＣＯ信号の周波数を微調整するものも提案はされているが、各チャンネル毎にＶＣＯ信号の周波数を微調整すると、信号復調回路等に加える変更が必要となるので、容易ではない。
【００３４】
図３は、初期設定におけるチャンネルセットアップのフローチャートである。
本実施例においては、放送波の有無の確認に加え、ＶＣＯ信号の周波数を設定する。制御部１４のＣＰＵは、フローチャートに従って以下の処理を実行する。
チャンネルセットアップの初期スキャンでは、ＣＰＵはステップＳ１００にてチャンネル番号に初期値を設定し、ステップＳ１０２にて変数ＡにＣ／Ｎ値を格納する。チャンネル番号に初期値を設定すると、この情報はチューナ１１に伝えられ、該チューナ１１内の信号復調回路２２は、チューナ制御部２１ｆに対して該チャンネル番号に対応する発振周波数となるように位相同期回路２１ｈを制御する。すると、該位相同期回路２１ｈを介して局部発振器２１ｇは所定の局発振周波数で発振する。チューナ制御部２１ｆは、これと同時にＲＦバンドパスフィルタ２１ａに対してもチャンネル番号に対応する受信周波数帯を通過させるように通過周波数を設定させる。
【００３５】
図４は、本実施形態における周波数と信号強度の関係を示す図であり、図５は、従来のチューナにおける周波数と信号強度の関係を示す図である。
本実施形態の処理を説明する前に、従来の受信信号の処理について説明する。放送波が図５（ａ）に示すように存在しているとする。図においては、中央に現在のチャンネル番号の周波数帯を示し、左側に１チャンネル低いチャンネル番号の周波数帯を示し、右側に１チャンネル高いチャンネル番号の周波数帯を示している。ＲＦバンドパスフィルタ２１ａは、現在のチャンネル番号に対応する受信周波数帯を通過周波数とするバンドパスフィルタであるから、ＲＦバンドパスフィルタ２１ａを通過した受信信号は図５（ｂ）に示すようになる。すなわち、１チャンネル低いチャンネル番号の周波数帯の受信信号と、１チャンネル高いチャンネル番号の周波数帯の受信信号は減衰され、それらの信号強度が下がる。さらに、受信信号は低ノイズ増幅器２１ｂで増幅され、局部発振周波数信号の信号レベルと同等にされる。そして、受信信号と局部発振周波数信号を混合器２１ｃに入力すると、ヘテロダインの作用により、混合器２１ｃからは図５（ｃ）に示すＩＦ信号が出力される。なお、この場合の局発振周波数は、現在のチャンネル番号と１チャンネル高いチャンネル番号の境界に設定してある。言い換えると、現在のチャンネル番号に対応する受信周波数帯よりも上側の周波数である。
【００３６】
中間周波数に変換された受信信号のうち、現在のチャンネル番号よりも１チャンネル低いチャンネル番号の受信信号は、局発振周波数から２チャンネル分だけ離れた周波数帯となり、現在のチャンネル番号に対応する受信信号とは重複しない。しかし、現在のチャンネル番号と１チャンネル高いチャンネル番号の受信信号は、局発振周波数を境界に挟んで対峙する帯域であるため、中間周波数に変換された時点で重なり合う。
【００３７】
このような場合でも、予めＲＦバンドパスフィルタ２１ａを通過させておくことで、現在のチャンネル番号に対応する受信周波数帯以外の成分は重言に減衰されているはずであり、このように中間周波数に変換された状態で、現在のチャンネル番号と１チャンネル高いチャンネル番号の信号が重複してもさほど問題は生じない。言い換えると、現在のチャンネル番号に対応する信号成分に対して、１チャンネル高いチャンネル番号に対応する信号成分はノイズに相当するだけであり、適当なノイズ処理によって本来の信号成分を処理できる。
【００３８】
ところが、本来、想定される以上に隣接チャンネルの信号成分が大きい場合が存在する。図５に示す例では、１チャンネル高いチャンネル番号の放送波が大きすぎるため、ＲＦバンドパスフィルタ２１ａで減衰させた後でも、現在のチャンネル番号に対応する放送波と遜色ない信号強度を維持している。すると、中間周波数に変換されたときのＣ／Ｎ比が小さくないので、受信結果に悪影響を与える。デジタル信号を変調している場合は、その後のビットエラーレートに悪影響が現れる。
【００３９】
ステップＳ１００にてチャンネル番号に初期値を設定し、ステップＳ１０２にて変数ＡにＣ／Ｎ値を格納した時点では、現在のチャンネル番号の周波数と１チャンネル高いチャンネル番号の周波数帯との境界の周波数にＶＣＯ信号の周波数が設定されている。なお、Ｃ／Ｎ値は信号復調回路２２が演算し、ＣＰＵはその値を取得する。
次に、ＣＰＵは、ステップＳ１０４にて、＋１ｃｈとの信号強度差がｘｄＢ以上か判断する。言い換えると、現在のチャンネル番号の受信周波数帯の信号強度と、１チャンネル高いチャンネル番号の受信周波数帯の信号強度とを取得し、その信号の強度差を求め、さらに強度差がｘデシベル以上か判断する。
【００４０】
ここでは、ＶＣＯ信号の周波数が現在のチャンネル番号の上側に設定されている状態において、隣接チャンネルとして影響の大きい１チャンネル高いチャンネル番号の信号強度に着目する。信号強度が強すぎる場合は、以下に示すようにＶＣＯ信号の周波数を現在のチャンネル番号の下側に設定してみて受信状況の改善を図れるか試みる。
ＣＰＵは、ステップＳ１０６にて、ＶＣＯ周波数を−１ｃｈの周波数に変更し、ステップＳ１０８にて、変数ＢにＣ／Ｎ値を格納する。言い換えると、現在のチャンネル番号よりも１つ低いチャンネル番号に対応するＶＣＯ信号であるから、現在のチャンネル番号の周波数帯と、１チャンネル低いチャンネル番号の周波数帯との境界の周波数をＶＣＯ信号の周波数とする。なお、ここで境界と呼んでいるのは厳密な意味での境界を意味するではなく、二つの周波数帯の間を指しているにすぎない。
【００４１】
この状態での受信信号の変換の過程を図４に示している。放送波が図４（ａ）に示すように存在しているとすると、ＲＦバンドパスフィルタ２１ａは、現在のチャンネル番号に対応する受信周波数帯を通過周波数とするバンドパスフィルタであるから、ＲＦバンドパスフィルタ２１ａを通過した受信信号は図４（ｂ）に示すようになる。１チャンネル低いチャンネル番号の周波数帯の受信信号と、１チャンネル高いチャンネル番号の周波数帯の受信信号は減衰され、それらの信号強度が下がる。受信信号は低ノイズ増幅器２１ｂで増幅され、局部発振周波数信号の信号レベルと同等になった後、受信信号と局部発振周波数信号を混合器２１ｃに入力する。
【００４２】
このとき、局発振周波数は、現在のチャンネル番号に対応する周波数帯よりも下側の周波数に設定されているから、現在のチャンネル番号よりも１チャンネル高いチャンネル番号の受信信号は、局発振周波数から２チャンネル分だけ離れた周波数帯となり、現在のチャンネル番号に対応する受信信号とは重複しない。すなわち、信号強度が大きかったとしても、中間周波数に変換されたときに、現在のチャンネル番号と１チャンネル高いチャンネル番号の受信信号は重なり合わない。この結果、ヘテロダインの作用により、混合器２１ｃからは図４（ｃ）に示すＩＦ信号が出力される。
【００４３】
信号強度の大きかった１チャンネル高いチャンネル番号の受信信号に代わり、信号強度が通常のレベルである１チャンネル低いチャンネル番号の受信信号の成分とは重なり合うものの、この受信信号の強度はＲＦバンドパスフィルタ２１ａによって充分に減衰されているから、Ｃ／Ｎ値は想定範囲の充分に低い値となる。
そして、ＣＰＵは、ステップＳ１１０にて、Ｃ／Ｎ値が改善（Ａ＞Ｂ）したか判断する。上述したように、図４（ａ）と図５（ａ）に示す例では、Ｃ／Ｎ値は改善（Ａ＞Ｂ）するため、ＣＰＵは、ステップＳ１１２にて設定変更を保存する。この場合の設定変更は、ステップＳ１０６で行ったＶＣＯ周波数を−１ｃｈの周波数に変更する処理である。ＣＰＵは、現在のチャンネル番号に対応して放送波が存在することと、このチャンネル番号に対しては受信時にＶＣＯ周波数を−１ｃｈの周波数に変更することを記憶回路１４ｄに保存しておく。
【００４４】
一方、ステップＳ１０４にて、＋１ｃｈとの信号強度差がｘｄＢ以上と判断された場合でも、結果的には、ステップＳ１１０にてＣ／Ｎ値が改善（Ａ＞Ｂ）していないと判断される場合もある。例えば、後述する別の要因でＣ／Ｎ値が改善（Ａ＞Ｂ）されないこともある。このような場合は、ステップＳ１１４にて、設定変更を戻す。具体的には、ステップＳ１０６で行ったＶＣＯ信号の周波数を−１ｃｈの周波数に変更する処理を元に戻し、ＶＣＯ信号の周波数を現在のチャンネル番号に対応する周波数、すなわち、現在のチャンネル番号に対応する周波数帯と、１チャンネル高いチャンネル番号に対応する周波数帯との境界の領域の周波数に戻す。
【００４５】
その後、ＣＰＵは、ステップＳ１１６にて、チャンネル番号をインクリメント（＋１）し、ステップＳ１１８にて、最終のチャンネル番号を超えてスキャンを終了すべきと判断されるまで、ステップＳ１０２〜Ｓ１１６の処理を繰り返す。
ＶＣＯ信号の周波数を上述した処理によって、通常どおりの周波数とするか、１チャンネル低いチャンネルに対応する周波数とするかにより、Ｃ／Ｎ値が改善されたＩＦ信号が混合器２１ｃから出力され、さらに、ＩＦフィルタ２１ｄのローパスフィルタを通過する。ＩＦフィルタ２１ｄは、図４（ｃ）と図５（ｃ）に示すように、現在のチャンネル番号の周波数帯よりも高い周波数領域の成分を減衰させるようにカットオフ周波数を定めている。このため、受信したい周波数帯の成分以外の成分がさらに減るので、Ｃ／Ｎ値の改善にも向上する。カットオフ周波数は、後の信号処理に影響を与え、これについては、後述する。
【００４６】
なお、上述した実施形態においては、ＶＣＯ信号の周波数は、現在のチャンネル番号の周波数と１チャンネル高いチャンネル番号の周波数帯との境界の周波数に設定されているが、逆に、現在のチャンネル番号の周波数と１チャンネル低いチャンネル番号の周波数帯との境界の周波数に設定することも可能である。この場合の境界もさほど厳密なものではなく、現在のチャンネル番号の周波数帯を基準として、上側か下側かと考えればよい。
この場合、隣接チャンネルの信号強度によって、本来は下側に設定しているのを、上側に設定することで上述したのと同じ効果を得ることができる。言い換えると、上側か下側かを逆に設定することで、隣接チャンネルの信号強度が大きすぎる場合に対応することができる。
【００４７】
上述したように、地デジ放送に代表されるように各チャンネルごとに所定の受信周波数帯が設定され、該受信周波数帯間に各チャンネル毎に対応する局発振周波数が設定されている。そして、ステップＳ１００〜Ｓ１１８の処理を経て、各チャンネル毎に上側の局発振周波数か下側の局発振周波数かを選択している。従って、局発振周波数選択部を構成している。
【００４８】
本実施例では、チャンネルと受信周波数帯とを対応させているが、スーパーヘテロダイン方式など放送を受信する受信装置であれば、受信する所定の受信周波数帯に対して、上側または下側の局発振周波数のいずれかを選択することに相違ない。
特に、上述した実施例においては、ステップＳ１０４にて１チャンネル高いチャンネルの信号強度差がｘｄＢ以上か判断しており、この処理は、受信するチャンネルに対して隣接するチャンネルの受信信号の信号レベルを検出する隣接チャンネル信号レベル検出部と、隣接チャンネル信号レベル検出部にて検出される信号レベルが所定の値よりも大きいか判断する信号レベル判断部とに相当する。
【００４９】
そして、一旦はステップＳ１０６にて、ＶＣＯ周波数を１チャンネル低いチャンネルの周波数に変更するので、局発振周波数選択部は、信号レベル判断部の判断結果に基づいて各チャンネル毎に上側の局発振周波数か下側の局発振周波数かを選択する処理を実施している。Ｃ／Ｎ値は、受信するチャンネルの受信状況を表すため、Ｃ／Ｎ値を得たり、ステップＳ１１０にて改善の有無を判断する処理は、受信状況を検出する受信状況検出部に相当する。そして、改善の有無により、ステップＳ１１２にて、設定変更を保存したり、ステップＳ１１４にて設定変更を戻したりするのは、受信状況検出部の検出結果に基づいて各チャンネル毎に上側の局発振周波数か下側の局発振周波数かを選択する処理に相当する。すなわち、局発振周波数選択部に相当する。
【００５０】
・実施形態２
上述した実施形態においては、ＶＣＯ信号の周波数を変えることによって隣接チャンネルの影響を受けないようにしているが、さらにフィルタを微調整することで受信状況を改善することも可能である。
図６は、フィルタ微調整を加えたチャンネルセットアップのフローチャートであり、図７は、本実施形態における周波数と信号強度の関係を示す図である。
【００５１】
ステップＳ２００〜Ｓ２１２の処理は、ステップＳ１００〜Ｓ１１２までの処理と変わらないので、説明を省略する。
隣接チャンネルの信号強度差が大きく（ステップＳ２０４）、ＶＣＯ周波数を１チャンネル低い側に変更して受信状況が改善されなかった場合（ステップＳ２１０）、本実施例においては、さらに、ＲＦバンドパスフィルタ２１ａやＩＦフィルタ２１ｄを微調整して受信状況の改善を図る。
【００５２】
まず、ＣＰＵは、ステップＳ２１４にて、ＲＦバンドパスフィルタ２１ａ（ＲＦＢＰＦ）の通過周波数を微少変更する。本実施例では、通過周波数を微少変更させるが、破線のステップＳ２１６に示すようにＲＦバンドパスフィルタ２１ａの減衰量を微少変更させてもよい。そして、ステップＳ２１８にて、変数Ｃに微少変更後のＣ／Ｎ値を格納し、ステップＳ２２０にて、Ｃ／Ｎ値が改善（Ｂ＞Ｃ）したか判断する。ここでの改善とは、ＶＣＯ信号の周波数を変更した後のＣ／Ｎ値であるＢとの比較をいう。そして、改善した場合には、ステップＳ２２２にて、設定変更を保存する。
【００５３】
すなわち、ＶＣＯ信号の周波数を変更しただけでは受信状況が改善しなかった場合でも、ＲＦバンドパスフィルタ２１ａを微調整することで受信状況を改善できたのであれば、この微調整を含めてＶＣＯ信号の周波数を変更を設定として保存しておく。なお、改善の対象は、ＶＣＯ信号の周波数を変更する前のＣ／Ｎ値であるＡとしてもよい。また、調整と改善の有無の対比は、通過周波数の微少変更とＣ／Ｎ値の改善とをフィードバック制御で実施し、最適値を求めておいてから、この最適値と以前のＣ／Ｎ値とを比較するようにしても良い。
【００５４】
ＲＦバンドパスフィルタ２１ａを微調整することによる隣接チャンネルの信号の減衰の状況は、図７（ａ）に対して図７（ｂ）に示しており、中央の現在のチャンネル番号に対する受信信号に対して、左側と右側の受信信号の信号強度が下がっている。ＲＦバンドパスフィルタ２１ａを微調整する方法として、通過周波数の中心周波数を変化させたり、通過周波数の範囲を変化させることが可能である。
【００５５】
ＲＦバンドパスフィルタ２１ａを微調整による改善が見られない場合、ＣＰＵは、ステップＳ２２４にて、ＩＦフィルタ２１ｄ（ＩＦＬＰＦ）のカットオフ周波数を変更する。本実施例ではカットオフ周波数を変更しているが、破線のステップＳ２２６に示すようにＩＦフィルタ２１ｄ（ＩＦＬＰＦ）の減衰量を微少変更するようにしてもよい。そして、ステップＳ２２８にて、変数Ｄに微少変更後のＣ／Ｎ値を格納し、ステップＳ２３０にて、Ｃ／Ｎ値が改善（Ｃ＞Ｄ）したか判断する。ここでの改善とは、ＲＦバンドパスフィルタ２１ａを微調整後のＣ／Ｎ値であるＣとの比較をいう。そして、改善した場合には、ステップＳ２３２にて、設定変更を保存する。
【００５６】
すなわち、ＶＣＯ信号の周波数を変更に加えて、ＲＦバンドパスフィルタ２１ａを微調整しても受信状況が改善しなかった場合でも、ＩＦフィルタ２１ｄを微調整することで受信状況を改善できたのであれば、これらの微調整を含めてＶＣＯ信号の周波数を変更を設定として保存しておく。なお、改善の対象は、ＶＣＯ信号の周波数を変更する前のＣ／Ｎ値であるＡとしてもよい。また、調整と改善の有無の対比は、カットオフ周波数の微少変更とＣ／Ｎ値の改善とをフィードバック制御で実施し、最適値を求めておいてから、この最適値と以前のＣ／Ｎ値とを比較するようにしても良い。
【００５７】
ＩＦフィルタ２１ｄを微調整することによる隣接チャンネルの信号の減衰の状況は、図７（ｄ）に示しており、この例では１チャンネル低いチャンネル番号の受信信号の信号強度が下がっている。この例では、１チャンネル低いチャンネル番号の信号強度が大きいので、その影響を排除するためにＩＦフィルタ２１ｄのカットオフ周波数を変更することが有効である。なお、微調整する方法として、カットオフ周波数を上下に変化させたり、通カットオフ周波数に加えて減衰量を変化させることが可能である。
【００５８】
本実施例では、受信信号（ＲＦ信号）と局発振周波数信号（ＶＣＯ信号）とを混合した混合信号（ＩＦ信号）を通過させるＩＦフィルタ（ＩＦローパスフィルタ）２１ｄを備えており、ＩＦフィルタ２１ｄのカットオフ周波数は変更可能であり、ステップＳ２２０にて受信状況の改善の有無の判断結果を利用することを前提として、ステップＳ２１４にてＩＦフィルタ２１ｄのカットオフ周波数を変更している。むろん、改善するように周波数を変更したり、周波数の変更前後での改善の有無に基づいて周波数を変更するか否かを決めるようにしても良い。従って、これらの場合に受信状況検出部の検出結果に基づいていると言える。
【００５９】
また、ＩＦフィルタ２１ｄの減衰量が変更可能である場合に、ステップＳ２２０での受信状況検出部の検出結果を利用することを前提として、ステップＳ２１６にてＩＦフィルタ２１ｄの減衰量を変更させることとしてもよい。この場合も、改善するように減衰量を変更したり、減衰量の変更前後での改善の有無に基づき、減衰量を変更するか否かを決めるようにしても良い。従って、これらの場合に受信状況検出部の検出結果に基づいていると言える。
【００６０】
ＲＦバンドパスフィルタ２１ａの微調整についても同様のことが言える。
本実施例では、受信経路に所望のチャンネルの受信信号を通過させるＲＦバンドパスフィルタ２１ａを備えており、このＲＦバンドパスフィルタ２１ａの通過周波数は変更可能である。そして、ステップＳ２３０にて受信状況の改善の有無の判断結果を利用することを前提として、ＲＦバンドパスフィルタ２１ａの通過周波数を変更している。ここでは、改善するように通過周波数を変更したり、通過周波数の変更前後での改善の有無に基づいて通過周波数を変更するか否かを決めるようにしても良い。従って、これらの場合に受信状況検出部の検出結果に基づいていると言える。
【００６１】
また、ＲＦバンドパスフィルタ２１ａの減衰量が変更可能である場合に、ステップＳ２２０での受信状況検出部の検出結果を利用することを前提として、ステップＳ２２６にてＲＦバンドパスフィルタの減衰量を変更させることとしてもよい。この場合も、改善するように減衰量を変更したり、減衰量の変更前後での改善の有無に基づき、減衰量を変更するか否かを決めるようにしても良い。従って、これらの場合に受信状況検出部の検出結果に基づいていると言える。
【００６２】
その後、ＣＰＵは、ステップＳ２３４にて、チャンネル番号をインクリメント（＋１）し、ステップＳ２３６にて、最終のチャンネル番号を超えてスキャンを終了すべきと判断されるまで、ステップＳ１０２〜Ｓ２３２の処理を繰り返す。
上述したように、ＶＣＯ信号の周波数をチャンネル番号に基づいて変更可能とすることでさらなる効果を果たせる。
【００６３】
・実施形態３
次に、マルチチューナを採用するチューナには、複数の局部発振器２１ｇが備えられている。同一のセット内で、比較的近い位置に複数の局部発振器２１ｇが備えられていると、同じチャンネルの放送波を受信させたりする場合に、複数の局部発振器２１ｇが同じ局発振周波数で発振し、相互に悪影響を与えることになる。
図８は、マルチチューナを採用している場合におけるチャンネルセットアップのフローチャートであり、図９は、記憶回路に記憶される配列領域ＶＣＯ１，ＶＣＯ２を示す図である。
【００６４】
マルチチューナを採用している場合、複数のチューナでの受信チャンネルの組み合わせに起因する局部発振器２１ｇの発振周波数の組み合わせに応じて受信状況が悪化することが予想される。このため、事前に全ての組み合わせを受信してみて、受信状況に応じてＶＣＯ信号の周波数を変更する。
本実施例では、チューナ１１が２つある場合を例示し、変数ｉと変数ｊとを利用して、ループ処理をネストさせ、全てのチャンネルの組み合わせを実現している。チューナ１１がさらに含まれている場合でも、変数を加えてさらにループ処理をネストさせればよい。
【００６５】
ステップＳ３００とステップＳ３４０にて、変数ｉを１〜１２の範囲で順番に増やしていき、１２を超えたらこの処理は終了する。また、変数ｉを一定に保ったまま、ステップＳ３０２とステップＳ３３８にて、変数ｊを１〜１２の範囲で順番に増やしていき、１２を超えたら上述した変数ｉを１ずつ増やし、変数ｉが１２を超えるまで繰り返し処理する。一定の処理の範囲で繰り返すことをループさせるとも呼ぶ。
【００６６】
ステップＳ３０４にて、ＣＰＵは、チューナ１にｉチャンネルの受信を設定する。変数ｉは１から順次、１２まで繰り上げられる。従って、最初は、１である。次に、ステップＳ３０６にて、ＣＰＵは、チューナ２をオフにする。ここで必要なのは少なくとも局部発振器２１ｇに発振させない状態とすればよい。また、発振による影響を他に与えないようにすればよいので、発振するとしてもその周波数が他に影響を与えることのないようなものとするのであればよい。
【００６７】
ステップＳ３０８〜Ｓ３１８の処理は、ステップＳ１０２〜Ｓ１１２の処理と同様である。隣接チャンネルの信号強度が大きい場合（ステップＳ３１０）に、ＶＣＯ信号の周波数を１チャンネル低いチャンネル番号に対応する周波数に変更（ステップＳ３１２）し、受信状況が改善すれば（ステップＳ３１６）、設定を保存し（ステップＳ３２０）、改善しなければ設定を戻す（ステップＳ３１８）。
【００６８】
このときチューナ２はオフであるが、チューナ２のチャンネル番号として変数ｊが利用されている。初期値は１である。設定を保存するのは二次元の引数を有する配列領域ＶＣＯ１（ｉ，ｊ）である。チューナ１とチューナ２の受信チャンネルの組み合わせにおいて、チューナ１を優先的に設定し、その状態でチューナ２を設定することにしている。
【００６９】
このため、ステップＳ３２０にて、配列領域ＶＣＯ１（ｉ，ｊ）に設定を保存したら、ステップＳ３２２〜Ｓ３３６にて、チューナ２にて受信の設定を行う。ステップＳ３２２〜Ｓ３３６の処理も、基本的にステップＳ１０２〜Ｓ１１２の処理と同様である。ただ、その受信環境として、すでにチューナ１がｉチャンネルを受信するように設定されていることが異なる。
【００７０】
まず、ステップＳ３２２にて、ＣＰＵは、チューナ２にｊチャンネルを受信するように設定する。具体的には、局部発振器２１ｇに対してｊチャンネルに対応するＶＣＯ信号の周波数を発振させる。そして、ステップＳ３２４にて、チューナ２について、変数ＧにＣ／Ｎ値を格納する。チューナ２については、チューナ１との組み合わせに基づく影響を排除するように設定する必要があり、隣接チャンネルの信号レベルにかかわらず、ステップＳ３２８にて、チューナ２について、ＶＣＯ信号の周波数を１チャンネル低い周波数に変更する。そして、ステップＳ３３０にて、チューナ２について、変数ＨにＣ／Ｎ値を格納したら、ステップＳ３３２にて、チューナ２について、Ｃ／Ｎ値が改善（Ｇ＞Ｈ）したか判断する。
【００７１】
例えば、ｉが１で、ｊも１である場合、最初はチューナ２がオフであり、チューナ１について本来どおりのＶＣＯ信号の周波数が設定されたとする。続いてチューナ２を設定するが、チューナ１とチューナ２は同じ１チャンネルに設定される関係上、二つの局部発振器２１ｇが同時にほぼ同じ周波数で発振することで受信環境に悪影響を及ぼす可能性が高い。このため、ステップＳ３２８にて、ＶＣＯ信号の周波数を１チャンネル低い周波数に変更したときの方が受信状況が改善すると想定できる。この結果、ステップＳ３３６にて、変更後の設定を配列領域ＶＣＯ２（ｉ，ｊ）に設定を保存することになる。むろん、同じチャンネルを受信するときは必ず同様の結果になるとは限らない。他の受信環境の影響も受けるからである。従って、敢えて同じ周波数をＶＣＯ信号とする方が良い場合もあり得、その場合には、ステップＳ３３４にて、チューナ２について、設定変更を戻す。
【００７２】
以上のようにループ処理を実行すれば、チューナ１とチューナ２における可能性のある全てのチャンネルの組み合わせを実施し、それぞれの場合におけるチューナ１の設定を配列領域ＶＣＯ１（ｉ，ｊ）に、チューナ２の設定を配列領域ＶＣＯ２（ｉ，ｊ）に設定できる。
【００７３】
図９は、チューナ１のチャンネル番号と、チューナ２のチャンネル番号を引数とし、それぞれの配列領域ＶＣＯ１（ｉ，ｊ）、配列領域ＶＣＯ２（ｉ，ｊ）に設定されるＶＣＯ信号の値を示している。図においては、ＶＣＯ信号の周波数として受信周波数帯の上側か下側かを「上」または「下」として表示している。
初期設定の処理が終了していれば、以降は、配列領域ＶＣＯ１（ｉ，ｊ）、配列領域ＶＣＯ２（ｉ，ｊ）を参照すれば、チューナ１とチューナ２において、ＶＣＯ信号の周波数を上側にするのか下側にするのかということが定まり、瞬時にその時点でのチャンネル番号の組み合わせにおける最善の受信状況を実現できる設定となる。
【００７４】
以上説明したように、チューナ１とチューナ２というように複数の受信回路を備える場合において、ステップＳ３００〜Ｓ３４０の処理により、この複数の受信回路における受信チャンネルの組み合わせに対応して、各受信回路ごとに上側の局発振周波数か下側の局発振周波数かを選択している。よって、局発振周波数選択部に相当する。
【００７５】
また、配列領域ＶＣＯ１（ｉ，ｊ）、配列領域ＶＣＯ２（ｉ，ｊ）は、複数の受信回路における受信チャンネルの組み合わせと上側の局発振周波数か下側の局発振周波数かの選択結果とを対応させて記憶する記憶部に相当している。この記憶部から選択結果を得て上側の局発振周波数か下側の局発振周波数かを選択する処理を行うことで局発振周波数選択部を実現でき、最善の受信状況を実現できる。
【００７６】
なお、本発明は前記実施例に限られるものでないことは言うまでもない。当業者であれば言うまでもないことであるが、
・前記実施例の中で開示した相互に置換可能な部材および構成等を適宜その組み合わせを変更して適用すること
・前記実施例の中で開示されていないが、公知技術であって前記実施例の中で開示した部材および構成等と相互に置換可能な部材および構成等を適宜置換し、またその組み合わせを変更して適用すること
・前記実施例の中で開示されていないが、公知技術等に基づいて当業者が前記実施例の中で開示した部材および構成等の代用として想定し得る部材および構成等と適宜置換し、またその組み合わせを変更して適用すること
は本発明の一実施例として開示されるものである。
【符号の説明】
【００７７】
１０…ハードディスクレコーダー、１１…チューナ、１２…ハードディスクドライブ、１３…ネットワークインターフェイス、１４…制御部、１４ａ…デコーダー、１４ｂ…エンコーダー、１４ｃ…表示等制御部、１４ｄ…記憶回路、１５…ディスプレイ、１６…リモコン、２１…チューナ部、２１ａ…ＲＦバンドパスフィルタ（ＢＰＦ）、２１ｂ…低ノイズ増幅器（ＬＮＡ：高周波増幅器）、２１ｃ…混合器（ＭＩＸ回路）、２１ｄ…ＩＦフィルタ（ＬＰＦ：ローパスフィルタ）、２１ｅ…中間周波増幅器（ＡＭＰ）、２１ｆ…チューナ制御部、２１ｇ…局部発振器（ＶＣＯ）、２１ｈ…位相同期回路（ＰＬＬ）、２２…信号復調回路。
【図１】
2017028480.tif 000003
【図２】
2017028480.tif 000004
【図３】
2017028480.tif 000005
【図６】
2017028480.tif 000006
【図８】
2017028480.tif 000007
【図９】
2017028480.tif 000008
【図４】
2017028480.tif 000009
【図５】
2017028480.tif 000010
【図７】
2017028480.tif 000011